(57)【要約】【課題】システム内のメッセージ占有率が多くなり資源に負荷がかかる問題を解消する。【解決手段】機種情報を蓄えたマスタ通信局が各通信局のメッセージサイズテーブルを作成し、データを送信することにより、異なるシステムの記憶装置容量に依存することなく相互にメッセージ伝送が行える。【選択図】　　図１
2004112417.tif 000002
【特許請求の範囲】
【請求項１】
伝送路に接続された複数の通信局間で送信権を順次受け渡し、該送信権を受け取った通信局のみが送信可能なメッセージデ−タ伝送方式であって、複数の通信局のうち一つをマスタ通信局とし、各通信局の機種情報を格納する一連の記憶装置を装備し、伝送路に接続された通信局を常時監視し、接続された通信局から一定の周期で送信される各通信局の使用可能なメッセージサイズを含んだ機種情報をマスタ通信局が受信し、認知することを特徴とした接続機器確認方法であって、前記機種情報を蓄えたマスタ通信局が前記機種情報に付加されたメッセージサイズをもとに、各通信局のメッセージサイズテーブルを作成し、マスタ通信局から各通信局にメッセージサイズテーブルを送信することにより、マスタ通信局を含めた各通信局が同一のメッセージサイズテーブルを持つことを特徴とした接続機器管理方法。
【請求項２】
請求項１に基づいた接続機器確認方法であって、マスタ通信局に格納された各通信局の機種情報及び、各通信局に格納されたマスタ通信局の機種情報から使用可能なメッセージサイズを知ることにより、各通信局にあったメッセージサイズにメッセージサイズをあわせて送信し、各通信局の異なるシステムに依存することなく、メッセージ伝送が行えることを特徴とした接続機器間のメッセージ伝送方法。
【発明の詳細な説明】
【０００１】
【発明の属する技術分野】
本発明は、伝送路に接続された複数の通信局間で送信権を受け渡すメッセージデ−タ伝送方式にあって、特にト−クンパッシング通信方式における伝送路上の接続機器間のメッセージ伝送方法に関する。
【０００２】
【従来の技術】
従来、マスタ通信局を含めた各通信局間でメッセージ伝送を行う場合、予めマスタ通信局が各通信局の使用可能なメッセージサイズを認識したり、通信局間で使用可能なメッセージサイズを固定することで、メッセージ電文長を決めていた（例えば特許文献１）。
【０００３】
【特許文献１】
特開平０９−１４９０５９号公報
【０００４】
【発明が解決しようとする課題】
ところが、予めマスタ通信局が各通信局の使用可能なメッセージサイズを認識しておく方法の場合、予め接続する通信局が何であるか認識しておかなければならない。また、通信局間で使用可能なメッセージサイズを固定しておく方法の場合には、通信局が小さなシステムの場合には少ない資源をメッセージ伝送に使用しなければならないために、システム内のメッセージ占有率が多くなり資源に負荷がかかる。
【０００５】
【課題を解決するための手段】
上記問題を解決するために、本発明は、伝送路に接続された複数の通信局間で送信権を順次受け渡し、該送信権を受け取った通信局のみが送信可能なメッセージ伝送方式であって、複数の通信局のうち一つをマスタ通信局とし、各通信局の機種情報を格納する一連の記憶装置を装備し、伝送路に接続された通信局を常時監視し、接続された通信局の機種情報をマスタ通信局が認知する接続機器確認方法において、機種情報に通信局の使用可能なメッセージサイズを付加することにより、前記機種情報を蓄えたマスタ通信局が前記機種情報に付加されたメッセージサイズをもとに、各通信局のメッセージサイズテーブルを作成し、マスタ通信局から各通信局にメッセージサイズテーブルを送信することにより、マスタ通信局を含めた各通信局が同一のメッセージサイズテーブルを持つことで、前記各通信局にあるメッセージサイズテーブルをもとに前記各通信局間にあったメッセージサイズにしてメッセージデータを送信することが可能になり、前記各通信局の異なるシステムの記憶装置容量に依存することなく、前記各通信局間相互にメッセージ伝送が行える。
【０００６】
【発明の実施の形態】
以下、本発明の実施例を図に基づいて説明する。
図１は本発明の一実施例を示すシステム構成図であり、（１）はマスタ通信局、（２）は通信局１、（３）は通信局２、（４）は通信局３、（５）はトークンパッシング通信方式を行う伝送路をあらわしている。図２は通信局から送信された機種情報のイメージ図であり、（６）は各通信局から送信される通信局の局番号と、使用可能な送信メッセージサイズ、受信メッセージサイズを含んだ機種情報をあらわしている。図３は各通信局からマスタ通信局宛に送信された機種情報に含まれる送信メッセージサイズ、受信メッセージサイズを蓄えた（７）メッセージサイズテーブルのイメージを表している。図４はマスタ通信局から送信された機種情報応答のイメージ図であり、（８）（９）（１０）はマスタ通信局から各通信局に送信されたマスタ通信局を含む各通信局の使用可能な送信メッセージサイズ、受信メッセージサイズを含んだ機種情報応答をあらわしている。図５は通信局２から通信局１に送信されたメッセージのイメージ図であり、（１１）は通信局２が送信したメッセージデータを表している。図６は通信局１から通信局２に送信された応答メッセージイメージ図であり、（１２）は通信局１が送信したメッセージデータを表している。
図１において、トークンパッシング通信方式でメッセージデータ伝送を行う（５）伝送路がある。この（５）伝送路を経由して（１）マスタ通信局と（２）通信局１，（３）通信局２、（４）通信局３が接続されている。接続された（２）通信局１は図２のように、通信局１の局番号、使用可能な送信メッセージサイズ、受信メッセージサイズを含んだ（６）機種情報をマスタ通信局に対して一定周期で送信する。（６）機種情報を受信した（１）マスタ通信局は記憶装置に機種情報テーブルとして格納する。更に（１）マスタ通信局は図３のように、各通信局から受信した（６）機種情報に含まれる送信メッセージサイズ、受信メッセージサイズを（７）メッセージサイズテーブルとして格納する。次に（１）マスタ通信局は図４のように、（６）機種情報を送信した（２）通信局１に対し、マスタ通信局及び各通信局の使用可能な送信メッセージサイズ、受信メッセージサイズを含んだ（８）機種情報応答を送信する。（８）機種情報応答を受信した（２）通信局１は記憶装置にメッセージサイズテーブルとして格納する。（３）通信局２，（４）通信局３に対しても同様に（９）（１０）の機種情報応答を送信することによってマスタ通信局及び、各通信局は同一のメッセージサイズテーブルを持つことができる。次に（３）通信局２から（２）通信局１へメッセージ伝送を行う場合には図５のように、（３）通信局２のメッセージサイズテーブルを参照し、送信先の（２）通信局１の受信メッセージサイズと送信元の（３）通信局２の送信メッセージサイズを比較し、送信すべき（１１）メッセージデータが前記比較した２つのメッセージサイズの小さい方よりも小さければ、そのまま（１１）メッセージデータを送信、大きければ（１１）メッセージデータを分割してメッセージサイズの小さい方の通信局にあわせて送信する。同様にして（２）通信局１から（３）通信局２に応答メッセージデータを送信する場合は図６のように、（２）通信局１のメッセージサイズテーブルを参照し、送信先の（３）通信局２の受信メッセージサイズと送信元の（２）通信局１の送信メッセージサイズを比較し、送信すべき（１２）応答メッセージデータが前記比較した２つのメッセージサイズの小さい方よりも小さければ、そのまま（１２）メッセージデータを送信、大きければ（１２）メッセージデータを分割してメッセージサイズの小さい方の通信局にあわせて送信する。
以上のように実施することにより、各通信局の異なるシステム上の資源に関係なくメッセージ伝送が行える。
【０００７】
【発明の効果】
以上述べたように、本発明によれば、伝送路に接続された複数の通信局間で送信権を順次受け渡し、該送信権を受け取った通信局のみが送信可能なメッセージ伝送方式において、複数の通信局のうち一つをマスタ通信局とし、各通信局の機種情報を格納する一連の記憶装置を装備し、伝送路に接続された通信局を常時監視し、接続された通信局の機種情報を介してマスタ通信局が前記機種情報に付加されたメッセージサイズをもとに、各通信局のメッセージサイズテーブルを作成し、マスタ通信局から各通信局にメッセージサイズテーブルを送信することにより、マスタ通信局を含めた各通信局が同一のメッセージサイズテーブルを持つことで、前記各通信局にあるメッセージサイズテーブルをもとに前記各通信局間にあったメッセージサイズにしてメッセージデータを送信することが可能になり、前記各通信局の異なるシステムの記憶装置容量に依存することなく、前記各通信局間相互にメッセージ伝送が行える。
【図面の簡単な説明】
【図１】本発明の一実施例を示すシステム構成図
【図２】通信局から送信された機種情報のイメージ図
【図３】メッセージサイズテーブルのイメージ図
【図４】マスタ通信局から送信されたメッセージサイズテーブルのイメージ図
【図５】メッセージサイズテーブルを参照して通信局２から通信局１へ送信されたメッセージデータのイメージ図
【図６】メッセージサイズテーブルを参照して通信局１から通信局２へ送信された応答メッセージデータのイメージ図
【符号の説明】
（１）　マスタ通信局
（２）（３）（４）　通信局
（５）　伝送路
（６）　機種情報
（７）　メッセージサイズテーブル
（８）　マスタ通信局機種情報テーブル
（９）　メッセージデータ（マスタ通信局送信）
（１０）　各通信局機種情報テーブル
（１１）　メッセージデータ（通信局２送信）
（１２）　メッセージデータ（通信局１送信）
【図１】
2004112417.tif 000003
【図２】
2004112417.tif 000004
【図３】
2004112417.tif 000005
【図４】
2004112417.tif 000006
【図５】
2004112417.tif 000007
【図６】
2004112417.tif 000008